(57)【要約】【課題】滑って欲しくない方向に対して特に大きな滑り止め作用を発揮することができるランドセルを提供する。【解決手段】摩擦係数の大きい材質とし、滑って欲しくない方向の反対の方向に屈曲させた複数のリブ１を形成した滑り止め部材Ｍを取り付けたものとしている。そして、前記滑り止め部材Ｍの複数のリブ１を上方向に屈曲したものとし、これら複数のリブ１を背当て部３の使用者の背中の左右に当接する部分にそれぞれ縦に配列したものとしている。【選択図】図１
0003137762.tif 000002
【実用新案登録請求の範囲】
【請求項１】
摩擦係数の大きい材質とし、滑って欲しくない方向の反対の方向に屈曲させた複数のリブ（１）を形成した滑り止め部材（Ｍ）を取り付けたことを特徴とするランドセル。
【請求項２】
前記滑り止め部材（Ｍ）の複数のリブ（１）を上方向に屈曲したものとし、これら複数のリブ（１）を背当て部（３）の使用者の背中の左右に当接する部分にそれぞれ縦に配列したことを特徴とする請求項１記載のランドセル。
【請求項３】
前記滑り止め部材（Ｍ）の複数のリブ（１）を内方向に屈曲したものとし、これら複数のリブ（１）を背負い鞄の背当て部（３）の使用者の背中の左右に当接する部分にそれぞれ横に配列したことを特徴とする請求項１記載のランドセル。
【請求項４】
前記滑り止め部材（Ｍ）の複数のリブ（１）を下方向に屈曲したものとし、これら複数のリブ（１）を、使用者の肩頂部に背負いベルト（８）が接触する部分より後ろの部分に縦に配列すると共に、前記複数のリブ（１）を下方向に屈曲したものとし、これら複数のリブ（１）を、使用者の肩頂部に背負いベルト（８）が接触する部分より前の部分に縦に配列したことを特徴とする請求項１記載のランドセル。
【請求項５】
前記滑り止め部材（Ｍ）の複数のリブ（１）を内方向に屈曲したものとし、これら複数のリブ（１）を、使用者の肩頂部に背負いベルト（８）が接触する部分より後ろの部分に横に配列すると共に、前記複数のリブ（１）を内方向に屈曲したものとし、これら複数のリブ（１）を、使用者の肩頂部に背負いベルト（８）が接触する部分より前の部分に横に配列したことを特徴とする請求項１記載のランドセル。
【考案の詳細な説明】
【技術分野】
【０００１】
この考案は、背当て部や背負いベルト等に滑り止め部材を設けたランドセルに関するものである。
【背景技術】
【０００２】
従来のリュックサックには、図９、１０に示したように、上部収納体１１ａの下方に分離可能にファスナー１２で連結された下部収納体１１ｂの背面１３に、滑り止め部材Ｍを設けたものが存在する。この滑り止め部材Ｍは、軟質合成樹脂製の短繊維を密植したものとしている（特許文献１）。
【０００３】
このような滑り止め部材Ｍを設けたリュックサック１１は、身体に密着状態として背負うことができるとしている。
【０００４】
さらに、従来のショルダーバッグには、図１１、１２に示したように、ショルダーベルト２２の略中央部一帯の両面に適宜間隔をおいて複数個の滑り止め部材Ｍを連設したものが存在する。この滑り止め部材Ｍは、ゴム又は合成樹脂等からなっており、長方形状の突出体や円形の突出体、その他適宜形状の突出体として実施することができるものとしている（特許文献２）。
【０００５】
このような滑り止め部材Ｍを設けたショルダーバッグ２１のショルダーベルト２２は、滑り止め部材Ｍの間隔を狭くしたり広くしたりすることや、幅を細くしたり太くしたりすることにより、滑り止め部材Ｍを連設している部分の屈曲度を調節することができるとしている。
【特許文献１】実開昭６０−１０３３２０号公報（第１頁、第１図、第４図）
【特許文献２】実開昭６１−２５８２４号公報（第１頁、第１図、第４図）
【考案の開示】
【考案が解決しようとする課題】
【０００６】
ところで、鞄の種類によっては、滑って欲しくない方向、例えばランドセルやリュックサック等の背負い鞄においては、使用者の背中の下方向に鞄が滑ってずれたり、使用者の背中の左右の外方向に滑ってずれるのを阻止する必要がある。
【０００７】
しかしながら、図９、１０に示したような従来のリュックサックでは、使用者の背中部の上下方向またはた左右方向のいずれに対しても、滑り止め部材Ｍの滑り止め作用には特に差がなかったので、滑って欲しくない方向に対して特に大きな滑り止め作用を発揮することができないという問題点を有していた。
【０００８】
さらに、鞄の背負いベルトや肩掛けベルトにおいても、例えばランドセルの背負いベルトにおいては使用者の肩の後方向、ショルダーバッグの肩掛けベルトにおいては使用者の肩の左右の外方向というように、滑って欲しくない方向に滑ってずれるのを阻止する必要がある。
【０００９】
しかしながら、図１１、１２に示したような従来のショルダーバッグでは、使用者の肩の前後方向または左右の内外方向のいずれに対してもその滑り止め作用には特に差がなかったので、滑って欲しくない方向に対して特に大きな滑り止め作用を発揮することができないという問題点を有していた。
【００１０】
そこで、この考案は、上記従来の問題点を解決するものであり、滑って欲しくない方向に対して特に大きな滑り止め作用を発揮することができるランドセルを提供することを目的としてなされたものである。
【課題を解決するための手段】
【００１１】
この考案のランドセルは、摩擦係数の大きい材質とし、滑って欲しくない方向の反対の方向に屈曲させた複数のリブ１を形成した滑り止め部材Ｍを取り付けたものとしている。
【００１２】
そして、この考案のランドセルは、前記滑り止め部材Ｍの複数のリブ１を上方向に屈曲したものとし、これら複数のリブ１を背当て部３の使用者の背中の左右に当接する部分にそれぞれ縦に配列したものとしている。
【００１３】
さらに、この考案のランドセルは、前記滑り止め部材Ｍの複数のリブ１を内方向に屈曲したものとし、これら複数のリブ１を背負い鞄の背当て部３の使用者の背中の左右に当接する部分にそれぞれ横に配列したものとしている。
【００１４】
また、この考案のランドセルは、前記滑り止め部材Ｍの複数のリブ１を下方向に屈曲したものとし、これら複数のリブ１を、使用者の肩頂部に背負いベルト８が接触する部分より後ろの部分に縦に配列すると共に、前記複数のリブ１を下方向に屈曲したものとし、これら複数のリブ１を、使用者の肩頂部に背負いベルト８が接触する部分より前の部分に縦に配列したものとしている。
【００１５】
さらに、この考案のランドセルは、前記滑り止め部材Ｍの複数のリブ１を内方向に屈曲したものとし、これら複数のリブ１を、使用者の肩頂部に背負いベルト８が接触する部分より後ろの部分に横に配列すると共に、前記複数のリブ１を内方向に屈曲したものとし、これら複数のリブ１を、使用者の肩頂部に背負いベルト８が接触する部分より前の部分に横に配列したものとしている。
【考案の効果】
【００１６】
この考案のランドセルは、以上に述べたように構成されているので、滑って欲しくない方向に対して特に大きな滑り止め作用を発揮することができるものとなり、非常に背負い易いものとなる。
【考案を実施するための最良の形態】
【００１７】
以下、この考案のランドセルを実施するための最良の形態を、図面に基づいて詳細に説明する。
【００１８】
この考案のランドセルＲは、図１〜４に示したように、ゴム又は合成樹脂等の摩擦係数の大きい材質としており、滑って欲しくない方向の反対の方向に屈曲させた複数のリブ１を板状体２の表面に形成した滑り止め部材Ｍを、背当て部３に取り付けたものとしている。
【００１９】
前記背当て部３は、図４に示したように、背板４、外装生地５及びクッション材６から構成されており、使用者の背中の左右に当接する部分にそれぞれ起伏部３ａ、３ａを形成したものとしている。
【００２０】
前記滑り止め部材Ｍは、外装生地５の表面に貼り付けられたり、外装生地５に形成された孔７から突出し、板状体２の周囲を外装生地５とクッション材６の間に挟み込み、外装生地６に縫着するなどして、背当て部３の起伏部３ａ、３ａに取り付けられている。この滑り止め部材Ｍは、図１に示したものでは、複数のリブ１を上方向に屈曲したものとし、これら複数のリブ１を背当て部３の起伏部３ａ、３ａにそれぞれ縦に一列配列したものとしており、図２に示したものでは、複数のリブ１を内方向に屈曲したものとし、これら複数のリブ１を背当て部３の起伏部３ａ、３ａにそれぞれ横に三列配列したものとしており、図３に示したものでは、図１のものと図２のものを一緒にしたような配列、すなわち上方向に屈曲した複数のリブ１を、背当て部３の起伏部３ａ、３ａにそれぞれ縦に一列配列したものとし、その下方に内方向に屈曲した複数のリブ１を背当て部３の起伏部３ａ、３ａにそれぞれ横に三列配列したものとしている。
【００２１】
前記リブ１は、図示したものでは、滑って欲しくない方向の反対の方向に角状に屈曲したものとしているが、滑って欲しくない方向の反対の方向に円弧状に屈曲させたものとしてもよい。そして、このリブ１は、図１に示したように縦に一列に配列したものでは、その一つ一つの寸法は、長さを約３〜４ｃｍ、幅を約２〜３ｍｍ、高さを約１〜２ｍｍ、曲げ角度を約１１０〜１３０度としており、複数を縦に一列配列した状態では縦方向の寸法を約９〜１１ｃｍ、横方向の寸法を約２〜３ｃｍとしている。前記リブ１をこのようにすれば、ランドセルＲを背負った場合に、前記リブ１が使用者の背中に接触し、背中の下方向にランドセルＲが滑ってずれるのをより阻止することができる。
【００２２】
また、前記リブ１は、図２に示したように横に三列に配列したものでは、その一つ一つの寸法は、長さを約１〜２ｃｍ、幅を約１〜２ｍｍ、高さを約１〜２ｍｍ、曲げ角度を約１１０〜１３０度としており、複数を横に三列配列した状態では横方向の寸法を約６〜８ｃｍ、横方向の寸法を約３〜４ｃｍとしている。前記リブ１をこのようにすれば、ランドセルＲを背負った場合に、前記リブ１が使用者の背中に接触し、背中の左右の外方向にランドセルＲが滑ってずれるのをより阻止することができる。
【００２３】
さらに、この考案のランドセルは、図７、８に示したように、ゴム又は合成樹脂等の摩擦係数の大きい材質としており、滑って欲しくない方向の反対の方向に屈曲させた複数のリブ１を板状体２の表面に形成した滑り止め部材Ｍを、背負いベルト８に取り付けたものとすることができる。
【００２４】
前記背負いベルト８は、上層体（図示せず）と下層体８ａ、これらの間に挟まれたクッション材（図示せず）から構成したものとしている。
【００２５】
前記滑り止め部材Ｍは、下層体８ａの表面に貼り付けられたり、下層体８ａに形成された孔（図示せず）から突出され、その周囲を下層体８ａとクッション材の間に挟み込み、下層体８ａに縫着するなどして、背負いベルト８に取り付けられている。この滑り止め部材Ｍは、図７に示したものでは、複数のリブ１を下方向に屈曲したものとし、これら複数のリブ１を、使用者の肩頂部に背負いベルト８が接触する部分より後ろの部分に縦に二列配列すると共に、複数のリブ１を下方向に屈曲したものとし、これら複数のリブ１を、使用者の肩頂部に背負いベルト８が接触する部分より前の部分に縦に二列配列したものとしている。さらに、前記滑り止め部材Ｍは、図８に示したものでは、複数のリブ１を内方向に屈曲したものとし、これら複数のリブ１を、使用者の肩頂部に背負いベルト８が接触する部分より後ろの部分に横に七列配列すると共に、複数のリブ１を内方向に屈曲したものとし、これら複数のリブ１を、使用者の肩頂部に背負いベルト８が接触する部分より前の部分に横に七列配列したものとしている。
【００２６】
前記リブ１は、図示したものでは、滑って欲しくない方向の反対の方向に角状に屈曲したものとしているが、滑って欲しくない方向の反対の方向に円弧状に屈曲させたものとしてもよい。そして、このリブ１は、図７に示したように配列したものでは、その一つ一つの寸法は、長さを約１〜２ｃｍ、幅を約１〜２ｍｍ、高さを約１〜２ｍｍ、曲げ角度を約１１０〜１３０度としており、複数を配列した状態ではそれぞれ縦方向の寸法を約８〜１０ｃｍ、横方向の寸法を約２〜３ｃｍとしている。前記リブ１をこのようにすれば、ランドセルＲを背負った場合に、前記リブ１が使用者の肩頂部の前後に接触し、肩の後方向に背負いベルト８が滑ってずれるのをより阻止することができる。
【００２７】
また、前記リブ１は、図８に示したように配列したものでは、その一つ一つの寸法は、長さを約１〜２ｃｍ、幅を約１〜２ｍｍ、高さを約１〜２ｍｍ、曲げ角度を約１１０〜１３０度としており、複数を配列した状態ではそれぞれ縦方向の寸法を約８〜１０ｃｍ、横方向の寸法を約２〜３ｃｍとしている。前記リブ１をこのようにすれば、ランドセルＲを背負った場合に、前記リブ１が使用者の肩頂部の前後に接触し、肩の左右の外方向に背負いベルト８が滑ってずれるのをより阻止することができる。
【図面の簡単な説明】
【００２８】
【図１】この考案のランドセルの一実施形態を示す斜視図である。
【図２】この考案のランドセルの他の実施形態を示す斜視図である。
【図３】この考案のランドセルのさらに他の実施形態を示す斜視図である。
【図４】この考案のランドセルの背負い部への滑り止め部材の取り付け方を示す説明図である。
【図５】この考案のランドセルの背負い部に取り付ける滑り止め部材の一例を示す斜視図である。
【図６】この考案のランドセルの背負い部に取り付ける滑り止め部材の他の例を示す斜視図である。
【図７】この考案のランドセルの背負いベルトの一例を示す説明図である。
【図８】この考案のランドセルの背負いベルトの他の例を示す説明図である。
【図９】従来のリュックサックの斜視図である。
【図１０】従来のリュックサックの下部収納体の斜視図である。
【図１１】従来のショルダーバッグの斜視図である。
【図１２】従来のショルダーバッグのショルダーベルトの部分拡大図である。
【符号の説明】
【００２９】
１  リブ
３  背当て部
８  背負いベルト
Ｍ  滑り止め部材
【図１】
0003137762.tif 000003
【図２】
0003137762.tif 000004
【図３】
0003137762.tif 000005
【図４】
0003137762.tif 000006
【図５】
0003137762.tif 000007
【図６】
0003137762.tif 000008
【図７】
0003137762.tif 000009
【図８】
0003137762.tif 000010
【図９】
0003137762.tif 000011
【図１０】
0003137762.tif 000012
【図１１】
0003137762.tif 000013
【図１２】
0003137762.tif 000014